(57)【要約】【課題】ノーズパッドの位置調整についての構成を簡略化できる頭部装着型表示装置を提供する。【解決手段】頭部装着型表示装置は、画像光を出射して画像を表示する表示部と、表示部を支持する支持部と、支持部に取り付けられるノーズパッドと、を備え、支持部は、ノーズパッドが取り付けられる取付部を有し、ノーズパッドは、取付部に挿入される挿入部を有し、取付部は、挿入部が挿入される挿入口と、挿入口に挿入された挿入部を中心とするノーズパッドの回動方向においてそれぞれ異なる第１位置及び第２位置にノーズパッドを係止可能な係止部と、を有する。【選択図】図１１
2020071299.tif 000002
【特許請求の範囲】
【請求項１】
画像光を出射して画像を表示する表示部と、
前記表示部を支持する支持部と、
前記支持部に取り付けられるノーズパッドと、を備え、
前記支持部は、前記ノーズパッドが取り付けられる取付部を有し、
前記ノーズパッドは、前記取付部に挿入される挿入部を有し、
前記取付部は、
前記挿入部が挿入される挿入口と、
前記挿入口に挿入された前記挿入部を中心とする前記ノーズパッドの回動範囲においてそれぞれ異なる第１位置及び第２位置に前記ノーズパッドを係止可能な係止部と、を有することを特徴とする頭部装着型表示装置。
【請求項２】
請求項１に記載の頭部装着型表示装置において、
前記ノーズパッドは、第１鼻当て部及び第２鼻当て部を有し、
前記ノーズパッドの回動方向は、前記表示部が前記画像光を出射する第１方向から見て、前記第１鼻当て部及び前記第２鼻当て部を結ぶ第１軸に交差する方向であり、
前記取付部は、前記係止部として、
前記第１位置に前記ノーズパッドを係止する第１係止部と、
前記第２位置に前記ノーズパッドを係止する第２係止部と、を有することを特徴とする頭部装着型表示装置。
【請求項３】
請求項２に記載の頭部装着型表示装置において、
前記取付部は、前記挿入口の内部に位置し、前記挿入口への挿入方向における前記挿入部の先端部と係合し、前記先端部を中心として前記ノーズパッドを回動可能に支持する回動支持部を有することを特徴とする頭部装着型表示装置。
【請求項４】
請求項３に記載の頭部装着型表示装置において、
前記挿入部は、
前記第１方向から見て前記第１軸に沿って延出し、前記回動支持部によって支持されて前記ノーズパッドの回動軸となる軸部と、
前記軸部における一端側及び他端側から前記第１方向にそれぞれ延出する２つの第１延出部と、
前記２つの第１延出部における前記軸部とは反対側からそれぞれ互いに離間する方向に延出する２つの第２延出部と、を有し、
前記２つの第２延出部のうち少なくとも１つの第２延出部は、前記第１係止部及び前記第２係止部の一方によって係止されることを特徴とする頭部装着型表示装置。
【請求項５】
請求項４に記載の頭部装着型表示装置において、
前記第１係止部及び前記第２係止部は、それぞれ、前記２つの第２延出部が嵌合される凹部であることを特徴とする頭部装着型表示装置。
【請求項６】
請求項４又は請求項５に記載の頭部装着型表示装置において、
前記取付部は、前記第１係止部及び前記第２係止部の間に位置し、前記２つの第２延出部と当接して、前記ノーズパッドの回動を規制する規制部を有することを特徴とする頭部装着型表示装置。
【請求項７】
請求項４から請求項６のいずれか一項に記載の頭部装着型表示装置において、
前記２つの第２延出部は、互いに接離可能な可撓性を有することを特徴とする頭部装着型表示装置。
【請求項８】
請求項１から請求項７のいずれか一項に記載の頭部装着型表示装置において、
前記ノーズパッドは、
第１鼻当て部及び第２鼻当て部と、
前記第１鼻当て部を揺動可能に支持する第１揺動支持部と、
前記第２鼻当て部を揺動可能に支持する第２揺動支持部と、
前記挿入部及び前記第１揺動支持部を接続する第１接続部と、
前記挿入部及び前記第２揺動支持部を接続する第２接続部と、を有し、
前記第１接続部及び前記第２接続部のうち少なくとも１つの接続部は、
前記挿入部から離間する方向に延出する第１構成部と、
前記第１鼻当て部及び前記第２鼻当て部を結ぶ第１軸に平行な方向と、前記取付部に対する前記挿入部の挿入方向とのそれぞれに交差し、かつ、前記挿入部から前記第１鼻当て部及び前記第２鼻当て部のうち前記少なくとも１つの接続部と接続される鼻当て部に向かう方向に、前記第１構成部から延出する第２構成部と、
前記第２構成部の延出方向に沿い、かつ、前記挿入部から離間する方向に、前記第２構成部に対して屈曲する第３構成部と、
前記第３構成部から延出して、前記第１揺動支持部及び前記第２揺動支持部のうち前記少なくとも１つの接続部と接続される揺動支持部に接続される第４構成部と、を有することを特徴とする頭部装着型表示装置。
【請求項９】
請求項１から請求項８のいずれか一項に記載の頭部装着型表示装置において、
前記表示部は、
左眼用画像を導く左側導光部と、
右眼用画像を導く右側導光部と、を備え、
前記支持部は、前記左側導光部及び前記右側導光部を支持するフレームを有し、
前記取付部は、前記左側導光部及び前記右側導光部の間に位置し、前記左側導光部及び前記右側導光部を前記フレームに取り付けることを特徴とする頭部装着型表示装置。
【発明の詳細な説明】
【技術分野】
【０００１】
本発明は、頭部装着型表示装置に関する。
【背景技術】
【０００２】
従来、頭部装着型表示装置として、ユーザーの鼻に当接される鼻パッドを備えた表示装置が知られている（例えば、特許文献１参照）。
特許文献１に記載の表示装置では、鼻パッドは、フレームに設けられた取付部材に取り付けられている。取付部材は、箱状の第１部材と第２部材とから構成されている。
【０００３】
第１部材の底面には、板バネであるラッチ部材が設けられている。鼻パッドのパッド取付部において第１部材の第１側面と対向する面の１箇所に突起部を設け、ラッチ部材に突起部と嵌合する複数の凹部を設けることにより、取付部材に対する鼻パッドの位置決め、及び、鼻パッドの上下移動が可能となる。
【先行技術文献】
【特許文献】
【０００４】
【特許文献１】特開２０１２−１６８２９７号公報
【発明の概要】
【発明が解決しようとする課題】
【０００５】
しかしながら、特許文献１に記載の表示装置では、鼻パッドを上下に移動可能に保持する取付部材が、複数の部材から構成されていることから、取付部材の構成が複雑であり、頭部装着型表示装置の組立が複雑になるという問題がある。
【課題を解決するための手段】
【０００６】
本発明の一態様に係る頭部装着型表示装置は、画像光を出射して画像を表示する表示部と、前記表示部を支持する支持部と、前記支持部に取り付けられるノーズパッドと、を備え、前記支持部は、前記ノーズパッドが取り付けられる取付部を有し、前記ノーズパッドは、前記取付部に挿入される挿入部を有し、前記取付部は、前記挿入部が挿入される挿入口と、前記挿入口に挿入された前記挿入部を中心とする前記ノーズパッドの回動範囲においてそれぞれ異なる第１位置及び第２位置に前記ノーズパッドを係止可能な係止部と、を有することを特徴とする。
【０００７】
上記一態様では、前記ノーズパッドは、第１鼻当て部及び第２鼻当て部を有し、前記ノーズパッドの回動方向は、前記表示部が前記画像光を出射する第１方向から見て、前記第１鼻当て部及び前記第２鼻当て部を結ぶ第１軸に交差する方向であり、前記取付部は、前記係止部として、前記第１位置に前記ノーズパッドを係止する第１係止部と、前記第２位置に前記ノーズパッドを係止する第２係止部と、を有することが好ましい。
【０００８】
上記一態様では、前記取付部は、前記挿入口の内部に位置し、前記挿入口への挿入方向における前記挿入部の先端部と係合し、前記先端部を中心として前記ノーズパッドを回動可能に支持する回動支持部を有することが好ましい。
【０００９】
上記一態様では、前記挿入部は、前記第１方向から見て前記第１軸に沿って延出し、前記回動支持部によって支持されて前記ノーズパッドの回動軸となる軸部と、前記軸部における一端側及び他端側から前記第１方向にそれぞれ延出する２つの第１延出部と、前記２つの第１延出部における前記軸部とは反対側からそれぞれ互いに離間する方向に延出する２つの第２延出部と、を有し、前記２つの第２延出部のうち少なくとも１つの第２延出部は、前記第１係止部及び前記第２係止部の一方によって係止されることが好ましい。
【００１０】
上記一態様では、前記第１係止部及び前記第２係止部は、それぞれ、前記２つの第２延出部が嵌合される凹部であることが好ましい。
【００１１】
上記一態様では、前記取付部は、前記第１係止部及び前記第２係止部の間に位置し、前記２つの第２延出部と当接して、前記ノーズパッドの回動を規制する規制部を有することが好ましい。
【００１２】
上記一態様では、前記２つの第２延出部は、互いに接離可能な可撓性を有することが好ましい。
【００１３】
上記一態様では、前記ノーズパッドは、第１鼻当て部及び第２鼻当て部と、前記第１鼻当て部を揺動可能に支持する第１揺動支持部と、前記第２鼻当て部を揺動可能に支持する第２揺動支持部と、前記挿入部及び前記第１揺動支持部を接続する第１接続部と、前記挿入部及び前記第２揺動支持部を接続する第２接続部と、を有し、前記第１接続部及び前記第２接続部のうち少なくとも１つの接続部は、前記挿入部から離間する方向に延出する第１構成部と、前記第１鼻当て部及び前記第２鼻当て部を結ぶ第１軸に平行な方向と、前記取付部に対する前記挿入部の挿入方向とのそれぞれに交差し、かつ、前記挿入部から前記第１鼻当て部及び前記第２鼻当て部のうち前記少なくとも１つの接続部と接続される鼻当て部に向かう方向に、前記第１構成部から延出する第２構成部と、前記第２構成部の延出方向に沿い、かつ、前記挿入部から離間する方向に、前記第２構成部に対して屈曲する第３構成部と、前記第３構成部から延出して、前記第１揺動支持部及び前記第２揺動支持部のうち前記少なくとも１つの接続部と接続される揺動支持部に接続される第４構成部と、を有することが好ましい。
【００１４】
上記一態様では、前記表示部は、左眼用画像を導く左側導光部と、右眼用画像を導く右側導光部と、を備え、前記支持部は、前記左側導光部及び前記右側導光部を支持するフレームを有し、前記取付部は、前記左側導光部及び前記右側導光部の間に位置し、前記左側導光部及び前記右側導光部を前記フレームに取り付けることが好ましい。
【図面の簡単な説明】
【００１５】
【図１】一実施形態における頭部装着型表示装置を示す斜視図。
【図２】一実施形態における頭部装着型表示装置を示す斜視図。
【図３】一実施形態における支持部を示す分解斜視図。
【図４】一実施形態における支持部を示す分解斜視図。
【図５】一実施形態におけるノーズパッドを示す斜視図。
【図６】一実施形態におけるノーズパッドを示す平面図。
【図７】一実施形態における取付部に対するノーズパッドの挿入方向を示す図。
【図８】一実施形態における取付部を示す背面図。
【図９】一実施形態における取付部を示す断面図。
【図１０】一実施形態におけるノーズパッドが挿入された取付部を示す断面図。
【図１１】一実施形態における第１位置に配置されたノーズパッド及び取付部を示す背面図。
【図１２】一実施形態における第１位置に配置されたノーズパッド及び取付部を示す断面図。
【図１３】一実施形態における第２位置に配置されたノーズパッド及び取付部を示す背面図。
【図１４】一実施形態における第２位置に配置されたノーズパッド及び取付部を示す断面図。
【発明を実施するための形態】
【００１６】
以下、本発明の一実施形態について、図面に基づいて説明する。
［頭部装着型表示装置の概略構成］
図１及び図２は、本実施形態に係る頭部装着型表示装置１を正面側上方及び背面側下方から見た斜視図である。
本実施形態に係る頭部装着型表示装置１は、ユーザーの頭部に装着されて利用され、ユーザーに視認可能に画像を表示するものであり、いわゆるヘッドマウントディスプレイ（ＨＭＤ：Head Mounted Display）である。頭部装着型表示装置１は、図１及び図２に示すように、表示部３、テンプル４Ｌ，４Ｒ及び支持部５を有する装置本体２と、支持部５に着脱可能に取り付けられるノーズパッド６と、を備える。これらの他、頭部装着型表示装置１は、装置本体２に装着されて、表示部３を構成する左側導光部３２Ｌ及び右側導光部３２Ｒを正面側にて覆うカバー部材を備えていてもよい。
【００１７】
詳しくは後述するが、表示部３は、それぞれ画像を表示する左側表示部３Ｌ及び右側表示部３Ｒを有する。支持部５は、表示部３、テンプル４Ｌ，４Ｒ及びノーズパッド６を支持する。テンプル４Ｌ，４Ｒがユーザーの左耳及び右耳に懸架され、ノーズパッド６がユーザーの鼻に当接されることにより、頭部装着型表示装置１は、ユーザーの頭部に装着される。
以下、頭部装着型表示装置１の構成について詳述する。
【００１８】
以下の説明では、互いに垂直な３方向を＋Ｘ方向、＋Ｙ方向及び＋Ｚ方向とし、頭部装着型表示装置１の背面から正面に向かう方向を＋Ｚ方向とする。また、頭部装着型表示装置１を＋Ｚ方向から見て右から左に向かう方向を＋Ｘ方向とし、頭部装着型表示装置１を＋Ｚ方向から見て下から上に向かう方向を＋Ｙ方向とする。
また、図示を省略するが、説明の便宜上、＋Ｘ方向、＋Ｙ方向及び＋Ｚ方向のそれぞれの反対方向を−Ｘ方向、−Ｙ方向及び−Ｚ方向とする。この他、＋Ｘ方向、＋Ｙ方向及び＋Ｚ方向のそれぞれに沿う軸を、Ｘ軸、Ｙ軸及びＺ軸とする。
【００１９】
本実施形態では、後述する鼻当て部６２Ｌ，６２Ｒを結ぶ第１軸は、Ｘ軸である。また、後述する表示部３が画像光を外部に出射する方向である第１方向は−Ｚ方向である。−Ｚ方向の反対方向である＋Ｚ方向は、支持部５に対するノーズパッド６の装着方向である。
また、支持部５を構成するフレーム５３が延出する軸はＸ軸であり、フレーム５３によって支持される左側表示部３Ｌから右側表示部３Ｒに向かう方向は、＋Ｘ方向である。
そして、＋Ｙ方向は、＋Ｚ方向及び＋Ｘ方向のそれぞれに直交し、かつ、フレーム５３のフロント部５３１から左側導光部３２Ｌ及び右側導光部３２Ｒに向かう方向である。−Ｙ方向は、後述する鼻当て部６２Ｌ，６２Ｒを結ぶ第１軸である＋Ｘ軸に平行な＋Ｘ方向と、後述する取付部５４に対するノーズパッド６の挿入部６１の挿入方向である＋Ｚ方向とのそれぞれに交差し、かつ、挿入部６１から鼻当て部６２Ｌ，６２Ｒに向かう方向である。
【００２０】
なお、頭部装着型表示装置１を装着したユーザーにとって、＋Ｘ方向は、左から右に向かう方向であり、＋Ｙ方向は、下から上に向かう方向であり、＋Ｚ方向は、後から前に向かう方向である。
このため、頭部装着型表示装置１の構成のうち、ユーザーにとっての左側、すなわち、−Ｘ方向に配置される構成の符号に「Ｌ」を付し、ユーザーにとっての右側、すなわち、＋Ｘ方向に位置する構成の符号に「Ｒ」を付す。
【００２１】
［表示部の構成］
表示部３は、所定の視認位置に向かって画像光を出射して、画像光により形成される画像を表示する。所定の視認位置は、表示部３を構成する光学系によって形成された射出瞳の位置である。本実施形態では、所定の視認位置は、ユーザーの左眼及び右眼に応じた仮想の位置に設定されている。そして、表示部３は、視認位置の１つであるユーザーの左眼に左眼用画像光を出射して左眼用画像を表示する左側表示部３Ｌと、視認位置の他の１つであるユーザーの右眼に右眼用画像光を出射して右眼用画像を表示する右側表示部３Ｒとを有する。
【００２２】
［左側表示部の構成］
左側表示部３Ｌは、装置本体２において−Ｘ方向に位置する。左側表示部３Ｌは、左眼用画像を形成して出射する画像出射部としての左側出射部３１Ｌと、出射された左眼用画像をユーザーの左眼に導く導光部としての左側導光部３２Ｌと、を有する。
【００２３】
左側出射部３１Ｌは、後述する左側筐体５２Ｌ内に収容され、外部から入力される画像情報に応じた左眼用画像光を形成及び出射する。左側出射部３１Ｌは、図示を省略するが、制御部、画像形成部及び画像投射部を有する。
制御部は、入力される画像情報に応じた画像信号を画像形成部に出力して、画像情報に応じた左眼用画像光を画像形成部に形成させる。制御部は、回路素子が実装された回路基板である。
画像形成部は、制御部から入力される画像信号に応じた左眼用画像光を形成する。画像形成部は、有機ＥＬ（Electro-Luminescence）パネル等の自己発光型表示パネルによって構成できる他、ＬＥＤ等の光源と、液晶パネルやＭＥＭＳミラー等のマイクロミラーを用いたデバイス等の光変調装置との組合せによって構成できる。
画像投射部は、レンズやプリズムによって構成され、画像形成部によって形成された画像光を＋Ｚ方向に投射する。
【００２４】
左側導光部３２Ｌは、支持部５の後述するフレーム５３によって支持されて、左側出射部３１Ｌに対して＋Ｚ方向でユーザーの左眼に応じた位置に、Ｘ軸に沿って配置されている。左側導光部３２Ｌは、左側出射部３１Ｌから出射された左眼用画像光を、界面にて内面反射させつつ＋Ｘ方向に導き、ユーザーの左眼の眼球に応じて設けられた半透過層によって左眼に向かって−Ｚ方向に出射する。すなわち、左側表示部３Ｌは、左眼用画像光を左側導光部３２Ｌから−Ｚ方向に出射する。
左側導光部３２Ｌは、例えば可視光領域で高い透光性を示すシクロオレフィンポリマー等の樹脂により形成されており、ユーザーは、左側導光部３２Ｌを介して外界を観察可能である。
【００２５】
［右側表示部の構成］
右側表示部３Ｒは、装置本体２において＋Ｘ方向に位置する。右側表示部３Ｒは、右眼用画像光を形成して出射する画像出射部としての右側出射部３１Ｒと、出射された右眼用画像光をユーザーの右眼に導く導光部としての右側導光部３２Ｒと、を有する。
【００２６】
右側出射部３１Ｒは、後述する右側筐体５２Ｒ内に収容され、外部から入力される画像情報に応じた右眼用画像を形成及び出射する。右側出射部３１Ｒは、左側出射部３１Ｌと同様に、制御部、画像形成部及び画像投射部を有する。
右側導光部３２Ｒは、フレーム５３によって支持されて、右側出射部３１Ｒに対して＋Ｚ方向でユーザーの右眼に応じた位置に、Ｘ軸に沿って配置されている。右側導光部３２Ｒは、右側出射部３１Ｒから＋Ｚ方向に出射された右眼用画像光を、界面にて内面反射させつつ−Ｘ方向に導き、ユーザーの右眼の眼球に応じて設けられた半透過層によって右眼に向かって−Ｚ方向に出射する。すなわち、右側表示部３Ｒは、右眼用画像を形成する右眼用画像光を右側導光部３２Ｒから−Ｚ方向に出射する。右側導光部３２Ｒは、例えば左側導光部３２Ｌと同様の透光性を有する材料によって構成されており、ユーザーは、右側導光部３２Ｒを介して外界を観察可能である。
このように、頭部装着型表示装置１は、左側導光部３２Ｌ及び右側導光部３２Ｒを介してユーザーが画像と外界とを同時に観察可能なシースルー型の頭部装着型表示装置として構成されている。
【００２７】
［テンプルの構成］
テンプル４Ｌは、図１及び図２に示すように、Ｙ軸に沿う回動軸を中心として回動可能に左側筐体５２Ｌに支持され、テンプル４Ｒは、Ｙ軸に沿う回動軸を中心として回動可能に右側筐体５２Ｒに支持されている。そして、テンプル４Ｌ，４Ｒは、装置本体２をユーザーが頭部に装着するときに−Ｚ方向に沿うように伸長されて、ユーザーの左耳及び右耳に懸架される。
なお、本実施形態では、テンプル４Ｌは、左側筐体５２Ｌ内に収容される左側出射部３１Ｌに対して、＋Ｘ方向における頭部装着型表示装置１の中心側に配置されている。テンプル４Ｒは、右側筐体５２Ｒ内に収容される右側出射部３１Ｒに対して、＋Ｘ方向における頭部装着型表示装置１の中心側に配置されている。すなわち、テンプル４Ｌは、左側出射部３１Ｌに対して＋Ｘ方向に位置し、テンプル４Ｒは、右側出射部３１Ｒに対して−Ｘ方向に位置している。しかしながら、これに限らず、テンプル４Ｌ，４Ｒの配置位置はどこでもよく、テンプル４Ｌ，４Ｒは、例えば左側筐体５２Ｌ及び右側筐体５２Ｒにおける−Ｚ方向の端部に支持されていてもよい。また、テンプル４Ｌ，４Ｒは、回動可能に支持されていなくてもよく、固定されていてもよい。
【００２８】
［支持部の構成］
図３及び図４は、正面側上方及び背面側下方から見た支持部５を示す分解斜視図である。詳述すると、図３及び図４は、テンプル４Ｌ，４Ｒ及び装着部材５１を左側筐体５２Ｌ、右側筐体５２Ｒ及びフレーム５３から分離した状態の装置本体２を正面側上方及び背面側下方から見た分解斜視図である。
支持部５は、表示部３、テンプル４Ｌ，４Ｒ及びノーズパッド６を支持する。支持部５は、図３及び図４に示すように、装着部材５１と、左側筐体５２Ｌ及び右側筐体５２Ｒと、フレーム５３と、取付部５４と、を有する。
【００２９】
［装着部材の構成］
装着部材５１は、フレーム５３、左側導光部３２Ｌ及び右側導光部３２Ｒを＋Ｚ方向にて覆うようにして、左側筐体５２Ｌ及び右側筐体５２Ｒに固定される。装着部材５１は、支持部５において、上記カバー部材が＋Ｚ方向にて着脱可能に装着される部位である。
装着部材５１は、左側導光部３２Ｌ及び右側導光部３２Ｒに対して＋Ｚ方向に配置される本体部５１１と、本体部５１１からそれぞれ−Ｚ方向に延出する固定部５１５Ｌ，５１５Ｒと、を有する。
【００３０】
本体部５１１は、左側開口部５１２Ｌを形成する左側枠部５１３Ｌと、右側開口部５１２Ｒを形成する右側枠部５１３Ｒと、を有する。この他、本体部５１１は、図４に示すように、本体部５１１の−Ｚ方向の面において−Ｘ方向の角部及び＋Ｘ方向の角部に配置されて、上記カバー部材を引き寄せる磁石５１４Ｌ，５１４Ｒを有する。
左側枠部５１３Ｌは、図３及び図４に示すように、左側導光部３２Ｌに対する＋Ｚ方向に位置し、＋Ｚ方向から見て、左側導光部３２Ｌによって表示される左眼用画像の表示領域を含む領域を囲む。
右側枠部５１３Ｒは、右側導光部３２Ｒに対する＋Ｚ方向に位置し、＋Ｚ方向から見て、右側導光部３２Ｒによって表示される右眼用画像の表示領域を含む領域を囲む。
ユーザーが左側導光部３２Ｌ及び右側導光部３２Ｒを介して外界を観察する場合には、ユーザーの視線は、左側開口部５１２Ｌ及び右側開口部５１２Ｒを通過する。
【００３１】
固定部５１５Ｌは、本体部５１１における−Ｘ方向の端部に設けられている。固定部５１５Ｌは、本体部５１１における＋Ｙ方向の端縁から−Ｚ方向に延出する上側腕部５１５１と、本体部５１１における−Ｙ方向の端縁から−Ｚ方向に延出する下側腕部５１５３と、を備える。
固定部５１５Ｒは、本体部５１１における＋Ｘ方向の端部に設けられており、固定部５１５Ｌと同様に、上側腕部５１５１及び下側腕部５１５３を備える。
そして、固定部５１５Ｌの上側腕部５１５１及び下側腕部５１５３が左側筐体５２Ｌに固定され、固定部５１５Ｒの上側腕部５１５１及び下側腕部５１５３が右側筐体５２Ｒに固定されることにより、装着部材５１は、左側筐体５２Ｌ及び右側筐体５２Ｒに固定される。
【００３２】
［左側筐体の構成］
左側筐体５２Ｌは、合成樹脂製の筐体であり、フレーム５３における−Ｘ方向の端部に取り付けられて、左側出射部３１Ｌを収容する。左側筐体５２Ｌは、＋Ｘ方向の側面５２Ｌ１における＋Ｚ方向の部位に、軸支部５２Ｌ２を有する。
軸支部５２Ｌ２は、テンプル４Ｌを回動可能に支持する他、固定部５１５Ｌが固定される部位である。
【００３３】
［右側筐体の構成］
右側筐体５２Ｒは、合成樹脂製の筐体であり、フレーム５３における＋Ｘ方向の端部に取り付けられて、右側出射部３１Ｒを収容する。右側筐体５２Ｒは、−Ｘ方向の側面５２Ｒ１における＋Ｚ方向の部位に、軸支部５２Ｒ２を有する。
軸支部５２Ｒ２は、テンプル４Ｒを回動可能に支持する他、固定部５１５Ｒが固定される部位である。
【００３４】
［フレームの構成］
フレーム５３は、＋Ｙ方向から見て略Ｕ字状の金属製部材であり、Ｘ軸に沿って配置される。すなわち、フレーム５３の一端は−Ｘ方向に位置し、他端は＋Ｘ方向に位置する。フレーム５３は、図３及び図４に示すように、ユーザーの額に沿うフロント部５３１を有する。
フロント部５３１は、フレーム５３においてＸＺ平面に沿う部位である。フロント部５３１は、−Ｙ方向の面５３２との間に左側導光部３２Ｌ及び右側導光部３２Ｒを挟むように−Ｙ方向から取付部５４が取り付けられることによって、左側導光部３２Ｌ及び右側導光部３２Ｒを支持する。すなわち、取付部５４は、左側導光部３２Ｌと右側導光部３２Ｒとの間に位置するように面５３２に取り付けられる取付部材であり、フレーム５３とともに左側導光部３２Ｌと右側導光部３２Ｒを支持する他、ノーズパッド６を支持する。
このような取付部５４の構成については、後に詳述する。
【００３５】
［ノーズパッドの構成］
図５は、ノーズパッド６を上方背面側から見た斜視図である。図６は、ノーズパッド６を＋Ｙ方向から見た平面図である。
ノーズパッド６は、取付部５４に挿抜可能に取り付けられ、取付部５４によって−Ｚ方向から見て＋Ｙ方向及び−Ｙ方向に回動可能に支持される。すなわち、ノーズパッド６は、装置本体２に対して交換可能に設けられている。
ノーズパッド６は、図５及び図６に示すように、＋Ｘ方向における中心を通り、かつ、ＹＺ平面に沿う中心面を中心とする鏡面対称に構成されている。換言すると、ノーズパッド６は、＋Ｙ方向又は−Ｚ方向から見て左右対称に構成されている。
このようなノーズパッド６は、挿入部６１、鼻当て部６２Ｌ，６２Ｒ、揺動支持部６３Ｌ，６３Ｒ及び接続部６４Ｌ，６４Ｒを有する。
【００３６】
［挿入部の構成］
挿入部６１は、ノーズパッド６において取付部５４に＋Ｚ方向に沿って挿入される部位であり、ノーズパッド６において＋Ｙ方向で＋Ｚ方向に位置する。挿入部６１は、軸部６１１、第１延出部６１２Ｌ，６１２Ｒ及び第２延出部６１３Ｌ，６１３Ｒを有し、これらは同一平面上に位置する。
軸部６１１は、挿入部６１の＋Ｚ方向における先端部に位置し、Ｘ軸に沿う円柱状部である。軸部６１１の軸方向は、取付部５４の後述する挿入口５４１に挿入されて支持された際に、ノーズパッド６の回動軸と一致する。
第１延出部６１２Ｌは、軸部６１１の−Ｘ方向の端部から−Ｚ方向に延出し、第１延出部６１２Ｒは、軸部６１１の＋Ｘ方向の端部から−Ｚ方向に延出している。第１延出部６１２Ｌ，６１２Ｒの一部は、軸部６１１とともに、挿入口５４１内に挿入される。
【００３７】
第２延出部６１３Ｌ，６１３Ｒは、第１延出部６１２Ｌ，６１２Ｒにおける軸部６１１とは反対側の端部から互いに離間する方向に延出している。詳述すると、−Ｘ方向に位置する第２延出部６１３Ｌは、第１延出部６１２Ｌにおける軸部６１１とは反対側の端部から−Ｘ方向に延出している。＋Ｘ方向に位置する第２延出部６１３Ｒは、第１延出部６１２Ｒにおける軸部６１１とは反対側の端部から＋Ｘ方向に延出している。
このような第２延出部６１３Ｌ，６１３Ｒは、取付部５４の後述する第１係止部５４３Ｌ，５４３Ｒ及び第２係止部５４４Ｌ，５４４Ｒによって係止される部位である。
【００３８】
第２延出部６１３Ｌ，６１３Ｒは、Ｘ軸において互いに接離する方向に撓むことが可能な剛性を有する。すなわち、第２延出部６１３Ｌ，６１３Ｒは、Ｘ軸において互いに接離する方向への可撓性を有する。このため、後述する接続部６４Ｌ，６４Ｒを互いに近接する方向に変位させると、第２延出部６１３Ｌ，６１３Ｒは、互いに近接する方向に撓む。これにより、詳しくは後述するが、取付部５４におけるノーズパッド６の係止位置を変更可能となる。
【００３９】
図６に示すように、第２延出部６１３Ｌと第１延出部６１２Ｌとの交差角αＬは鈍角であり、第２延出部６１３Ｒと第１延出部６１２Ｒとの交差角αＲは鈍角である。これは、第２延出部６１３Ｌ及び第２延出部６１３Ｒを変位させやすくして、取付部５４におけるノーズパッド６の位置を変更しやすくするための措置である。
なお、本実施形態では、交差角αＬ及び交差角αＲは、同じ角度であるが、交差角αＬと交差角αＲとは異なっていてもよく、交差角αＬ及び交差角αＲのうち一方の交差角のみが鈍角で、他方の交差角は、例えば直角等、鈍角以外の角度であってもよい。
【００４０】
［鼻当て部及び揺動支持部の構成］
頭部装着型表示装置１がユーザーの頭部に装着されるときに、鼻当て部６２Ｌは、ユーザーの鼻における左側の部位に当接され、鼻当て部６２Ｒは、ユーザーの鼻における右側の部位に当接される。鼻当て部６２Ｌ，６２Ｒのうち一方の鼻当て部は、第１鼻当て部に相当し、他方の鼻当て部は、第２鼻当て部に相当する。
ここで、鼻当て部６２Ｌ，６２Ｒが当接する鼻の形状はユーザー毎に異なる。このことから、鼻当て部６２Ｌ，６２Ｒは、適切に鼻に当接するように、ノーズパッド６における−Ｙ方向で−Ｚ方向の位置に設けられた揺動支持部６３Ｌ，６３Ｒによって揺動可能に支持されている。
【００４１】
詳述すると、鼻当て部６２Ｌは、ユーザーの鼻における左側の部位に当接する当接部６２Ｌ１を有し、当接部６２Ｌ１が−Ｙ方向で＋Ｘ方向を向くように、−Ｘ方向に位置する揺動支持部６３Ｌによって揺動可能に支持されている。同様に、鼻当て部６２Ｒは、ユーザーの鼻における右側の部位に当接する当接部６２Ｒ１を有し、当接部６２Ｒ１が−Ｙ方向で−Ｘ方向を向くように、＋Ｘ方向に位置する揺動支持部６３Ｒによって揺動可能に支持されている。
これら揺動支持部６３Ｌ，６３Ｒのうち一方の揺動支持部は、鼻当て部６２Ｌ，６２Ｒのうち第１鼻当て部に対応する鼻当て部を揺動可能に支持する第１揺動支持部であり、他方の揺動支持部は、鼻当て部６２Ｌ，６２Ｒのうち第２鼻当て部に対応する鼻当て部を揺動可能に支持する第２揺動支持部である。
【００４２】
［接続部の構成］
接続部６４Ｌは、−Ｘ方向に位置し、挿入部６１の第２延出部６１３Ｌと揺動支持部６３Ｌとを接続する。接続部６４Ｒは、＋Ｘ方向に位置し、挿入部６１の第２延出部６１３Ｒと揺動支持部６３Ｒとを接続する。すなわち、接続部６４Ｌ，６４Ｒのうち一方の接続部は、揺動支持部６３Ｌ，６３Ｒのうち第１揺動支持部に相当する揺動支持部と接続される第１接続部であり、他方の接続部は、揺動支持部６３Ｌ，６３Ｒのうち第２揺動支持部に相当する揺動支持部と接続される第２接続部に相当する。
【００４３】
接続部６４Ｒは、図５及び図６に示すように、第１構成部６４Ｒ１、第２構成部６４Ｒ２、第３構成部６４Ｒ３及び第４構成部６４Ｒ４を有する。
第１構成部６４Ｒ１は、第２延出部６１３Ｒにおける第１延出部６１２Ｒとは反対側の端部から、挿入部６１から離間する方向である−Ｚ方向に延出している。
第２構成部６４Ｒ２は、第１構成部６４Ｒ１から−Ｙ方向に延出している。すなわち、第２構成部６４Ｒ２は、鼻当て部６２Ｌ，６２Ｒを結ぶ第１軸であるＸ軸に平行な＋Ｘ方向と、取付部５４に対する挿入部６２の挿入方向である＋Ｚ方向とのそれぞれに交差し、かつ、挿入部６１から鼻当て部６２Ｌ，６２Ｒのうち接続部６４Ｒと接続される鼻当て部６２Ｒに向かう−Ｙ方向に、第１構成部６４Ｒ１から延出する。
第３構成部６４Ｒ３は、第２構成部の延出方向である−Ｙ方向に沿い、かつ、挿入部６１から離間する方向である−Ｚ方向に、第２構成部６４Ｒ２に対して屈曲している。
第４構成部６４Ｒ４は、第３構成部６４Ｒ３から−Ｙ方向で＋Ｘ方向に延出し、揺動支持部６３Ｌ，６３Ｒのうち接続部６４Ｒと接続される揺動支持部６３Ｒと接続されている。
【００４４】
接続部６４Ｌも、図６に示すように、第１構成部６４Ｌ１、第２構成部６４Ｌ２、第３構成部６４Ｌ３及び第４構成部６４Ｌ４を有する。
第１構成部６４Ｌ１は、第２延出部６１３Ｌにおける第１延出部６１２Ｌとは反対側の端部から−Ｚ方向に延出する。
第２構成部６４Ｌ２は、第１構成部６４Ｌ１から−Ｙ方向に延出する。
第３構成部６４Ｌ３は、−Ｙ方向で−Ｚ方向に、第２構成部６４Ｌ２に対して屈曲している。
第４構成部６４Ｌ４は、第３構成部６４Ｌ３から−Ｙ方向で−Ｘ方向に延出し、揺動支持部６３Ｌに接続されている。
【００４５】
［取付部に対するノーズパッドの挿入方向］
図７は、取付部５４に対するノーズパッド６の挿入方向を示す図である。なお、図７に図示する頭部装着型表示装置１では、テンプル４Ｌ，４Ｒの図示を省略している。
ノーズパッド６は、フレーム５３において左側導光部３２Ｌ及び右側導光部３２Ｒの間に設けられた取付部５４に取り付けられる。この際、ノーズパッド６は、図７に示すように、取付部５４の挿入口５４１に−Ｚ方向から＋Ｚ方向に向かって挿入部６１が挿入されるようにして、取付部５４に取り付けられる。
【００４６】
［取付部の構成］
図８は、取付部５４を−Ｚ方向から見た背面図である。図９は、取付部５４のＹＺ平面に沿う断面を示す図であり、図８におけるＩＸ−ＩＸ線における取付部５４の断面を−Ｘ方向から見た図である。なお、図８及び図９においては、取付部５４の構成を見易くするために、取付部５４の図示を簡略化している。
取付部５４は、図８及び図９に示すように、−Ｚ方向に開口する挿入口５４１と、挿入口５４１内に設けられた回動支持部５４２（図９）と、それぞれ挿入口５４１の外側に設けられた第１係止部５４３Ｌ，５４３Ｒ、第２係止部５４４Ｌ，５４４Ｒ及び規制部５４５Ｌ，５４５Ｒと、を有する。
【００４７】
［挿入口及び回動支持部の構成］
挿入口５４１は、−Ｚ方向から見て略Ｈ字状に形成されている。挿入口５４１内には、挿入部６１が挿入される。
回動支持部５４２は、図９に示すように、挿入口５４１の内部において、挿入口５４１の奥行き方向である＋Ｚ方向の部位に設けられている。回動支持部５４２は、挿入口５４１に挿入された挿入部６１の軸部６１１を、Ｘ軸に沿う回動軸を中心として回動可能に支持する。
詳述すると、回動支持部５４２は、軸部６１１における＋Ｚ方向で−Ｙ方向の部位と当接する円弧状の第１当接面５４２１と、軸部６１１における−Ｚ方向で＋Ｙ方向の部位と当接する円弧状の第２当接面５４２２と、を有し、第１当接面５４２１と第２当接面５４２２との間には、隙間ＧＰが形成されている。
【００４８】
図１０は、ノーズパッド６の挿入部６１が挿入された状態の取付部５４のＹＺ平面に沿う断面を示す図である。なお、図１０においても、取付部５４の構成を見易くするために、取付部５４の図示を簡略化している。
そして、回動支持部５４２に隙間ＧＰを介して＋Ｙ方向に嵌まり込むように挿入されることによって、軸部６１１は、図１０に示すように、第１当接面５４２１及び第２当接面５４２２と当接する。これにより、ノーズパッド６は、＋Ｘ方向に沿う軸部６１１を中心として第１延出部６１２Ｌ，６１２Ｒが−Ｚ方向に向かうに従って＋Ｙ方向に延出する状態となる＋Ｄ方向、及び、＋Ｄ方向とは反対方向である−Ｄ方向に回動可能となる。
【００４９】
［第１係止部の構成］
図８に示すように、第１係止部５４３Ｌ，５４３Ｒは、挿入口５４１と連通するように、挿入口５４１における−Ｙ方向の端部からそれぞれ離間する方向に延出している。
具体的に、第１係止部５４３Ｌは、挿入口５４１における−Ｙ方向の内側端縁から−Ｘ方向に延出し、第１係止部５４３Ｒは、挿入口５４１における−Ｙ方向の内側端縁から＋Ｘ方向に延出している。第１係止部５４３Ｌは、挿入口５４１に挿入部６１が挿入された際に第２延出部６１３Ｌが嵌合可能な凹部であり、第１係止部５４３Ｒは、第２延出部６１３Ｒが嵌合可能な凹部である。すなわち、第１係止部５４３Ｌ，５４３Ｒは、＋Ｚ方向に凹む凹部である。
なお、上記のように、挿入部６１は＋Ｚ方向に沿って挿入口５４１に挿入されるので、ノーズパッド６を取付部５４に取り付ける際には、第１係止部５４３Ｌ，５４３Ｒが第２延出部６１３Ｌ，６１３Ｒを係止しやすい。
【００５０】
図１１は、第１位置に配置されたノーズパッド６及び取付部５４を−Ｚ方向から見た背面図である。図１２は、第１位置に配置されたノーズパッド６及び取付部５４のＹＺ平面に沿う断面を−Ｘ方向から見た図であり、図１１におけるＸＩＩ−ＸＩＩ線における断面を−Ｘ方向から見た図である。なお、図１１及び図１２においても、取付部５４の図示を簡略化している。
図１１及び図１２に示すように、第２延出部６１３Ｌ，６１３Ｒが第１係止部５４３Ｌ，５４３Ｒに係止された状態では、ノーズパッド６は、ノーズパッド６の回動範囲において−Ｙ方向の位置である第１位置に配置される。換言すると、ノーズパッド６が第１位置に配置された状態では、鼻当て部６２Ｌ，６２Ｒは、−Ｙ方向の位置に配置される。
このような第１位置は、ノーズパッド６の鼻当て部６２Ｌ，６２Ｒが、例えば眼鏡を装着したユーザーの鼻において眼鏡の鼻当てが当接する部位より−Ｙ方向の部位に当接するように、ノーズパッド６が配置される位置である。
【００５１】
なお、ノーズパッド６における接続部６４Ｌ，６４Ｒは、上記のように、第２延出部６１３Ｌ，６１３Ｒと接続される第１構成部６４Ｌ１，６４Ｒ１から、−Ｙ方向に延出する第２構成部６４Ｌ２，６４Ｒ２、及び、第２構成部６４Ｌ２，６４Ｒ２から−Ｙ方向で−Ｚ方向に屈曲する第３構成部６４Ｌ３，６４Ｒ３を介して、第４構成部６４Ｌ４，６４Ｒ４が揺動支持部６３Ｌ，６３Ｒと接続される構成である。すなわち、接続部６４Ｌ，６４Ｒは、第２延出部６１３Ｌ，６１３Ｒからユーザーの顔面側である−Ｚ方向に延出した後に、−Ｙ方向に延出して揺動支持部６３Ｌ，６３Ｒと接続されるのではなく、第２延出部６１３Ｌ，６１３Ｒから−Ｙ方向に延出した後に、−Ｚ方向に延出して揺動支持部６３Ｌ，６３Ｒと接続される。より詳述すると、接続部６４Ｌ，６４Ｒは、第２延出部６１３Ｌ，６１３Ｒから揺動支持部６３Ｌ，６３Ｒの＋Ｙ方向に応じた位置まで−Ｚ方向に延出した後、揺動支持部６３Ｌ，６３Ｒに向かって垂下するのではなく、第２延出部６１３Ｌ，６１３Ｒから僅かに−Ｚ方向に延出し、−Ｙ方向に延出した後に−Ｚ方向に延出して、揺動支持部６３Ｌ，６３Ｒと接続される。
【００５２】
これによれば、ノーズパッド６が第１位置に配置された場合に、眼鏡を装着したユーザーの鼻において眼鏡の鼻当て部が当接する部位より−Ｙ方向の部位に、鼻当て部６２Ｌ，６２Ｒを接触させやすくすることができる。換言すると、鼻当て部６２Ｌ，６２Ｒ及び接続部６４Ｌ，６４Ｒが、眼鏡のフレームや鼻当てと干渉しないように、鼻当て部６２Ｌ，６２Ｒをユーザーの鼻に当接させることができる。
【００５３】
［第２係止部の構成］
図８に示すように、第２係止部５４４Ｌ，５４４Ｒは、挿入口５４１と連通するように、挿入口５４１における＋Ｙ方向の端部からそれぞれ離間する方向に延出している。
具体的に、第２係止部５４４Ｌは、挿入口５４１における＋Ｙ方向の内側端縁から−Ｘ方向に延出し、第２係止部５４４Ｒは、挿入口５４１における＋Ｙ方向の内側端縁から＋Ｘ方向に延出している。第２係止部５４４Ｌ，５４４Ｒは、第１係止部５４３Ｌ，５４３Ｒと同様に、＋Ｚ方向に凹む凹部であり、挿入口５４１に挿入部６１が挿入された際に、第２係止部５４４Ｌには、第２延出部６１３Ｌが嵌合可能であり、第２係止部５４４Ｒには、第２延出部６１３Ｒが嵌合可能である。
このように、第２延出部６１３Ｌ，６１３Ｒが第２係止部５４４Ｌ，５４４Ｒに係止された状態では、ノーズパッド６は、ノーズパッド６の回動範囲において＋Ｙ方向の位置である第２位置に配置される。
【００５４】
図１３は、第２位置に配置されたノーズパッド６及び取付部５４を−Ｚ方向から見た背面図である。図１４は、第２位置に配置されたノーズパッド６及び取付部５４のＹＺ平面に沿う断面を−Ｘ方向から見た図であり、図１３におけるＸＩＶ−ＸＩＶ線における断面を−Ｘ方向から見た図である。なお、図１３及び図１４においても、取付部５４の図示を簡略化している。
図１３及び図１４に示すように、ノーズパッド６が第２位置に配置された状態では、鼻当て部６２Ｌ，６２Ｒの位置は、第１位置での位置に対して＋Ｙ方向となる。
このような第２位置は、例えば、眼鏡を装着していないユーザーの頭部に頭部装着型表示装置１を装着した場合に、ノーズパッド６の鼻当て部６２Ｌ，６２Ｒがユーザーの鼻において眉間近傍の部位に当接するように、ノーズパッド６が配置される位置である。そして、第２位置にノーズパッド６が配置されることにより、眼鏡を装着していないユーザーの頭部に、頭部装着型表示装置１を安定して装着させることができる。
【００５５】
なお、ユーザーの鼻に鼻当て部６２Ｌ，６２Ｒが当接した場合には、鼻当て部６２Ｌ，６２Ｒには、＋Ｚ方向への力が加わり、接続部６４Ｌ，６４Ｒは、互いに離間する方向に変位しようとする。このため、第２延出部６１３Ｌにおける接続部６４Ｌとの接続部位、及び、第２延出部６１３Ｒにおける接続部６４Ｒとの接続部位は、第１係止部５４３Ｌ，５４３Ｒ又は第２係止部５４４Ｌ，５４４Ｒに押し付けられる。すなわち、第２延出部６１３Ｌ，６１３Ｒにおいて互いに反対側の端部は、第１係止部５４３Ｌ，５４３Ｒ及び第２係止部５４４Ｌ，５４４Ｒに押し付けられる。
これにより、頭部装着型表示装置１の装着時に、第２延出部６１３Ｌ，６１３Ｒが、第１係止部５４３Ｌ，５４３Ｒ又は第２係止部５４４Ｌ，５４４Ｒから外れることが抑制され、ひいては、ノーズパッド６の位置がずれることが抑制される。
【００５６】
［規制部の構成］
図８に示すように、規制部５４５Ｌは、＋Ｙ方向において第１係止部５４３Ｌと第２係止部５４４Ｌとの間に位置し、規制部５４５Ｒは、＋Ｙ方向において第１係止部５４３Ｒと第２係止部５４４Ｒとの間に位置する。そして、図示を省略するが、規制部５４５Ｌ，５４５Ｒにおける−Ｚ方向の面は、それぞれ第２延出部６１３Ｌ，６１３Ｒが嵌まり込む凹部である第１係止部５４３Ｌ，５４３Ｒにおいて、第２延出部６１３Ｌ，６１３Ｒにおける＋Ｚ方向の面と対向する部位より−Ｚ方向に位置する。また、規制部５４５Ｌ，５４５Ｒにおける−Ｚ方向の面は、それぞれ第２延出部６１３Ｌ，６１３Ｒが嵌まり込む凹部である第２係止部５４４Ｌ，５４４Ｒにおいて、第２延出部６１３Ｌ，６１３Ｒにおける＋Ｚ方向の面と対向する部位より−Ｚ方向に位置する。換言すると、規制部５４５Ｌ，５４５Ｒにおける−Ｚ方向の面は、それぞれ凹部である第１係止部５４３Ｌ，５４３Ｒの底部より−Ｚ方向に位置し、それぞれ凹部である第２係止部５４４Ｌ，５４４Ｒの底部より−Ｚ方向に位置している。他に換言すると、規制部５４５Ｌは、それぞれ凹部である第１係止部５４３Ｌ及び第２係止部５４４Ｌにおいて第２延出部６１３Ｌにおける＋Ｚ方向の面と対向する部位より−Ｚ方向に突出し、規制部５４５Ｒは、それぞれ凹部である第１係止部５４３Ｒ及び第２係止部５４４Ｒにおいて第２延出部６１３Ｒにおける＋Ｚ方向の面と対向する部位より−Ｚ方向に突出している。
【００５７】
規制部５４５Ｌ，５４５Ｒは、頭部装着型表示装置１の装着時にノーズパッド６が±Ｄ方向に、意図せずに回動してしまうことを規制する。すなわち、規制部５４５Ｌ，５４５Ｒは、第２延出部６１３Ｌ，６１３Ｒと当接することによって、第１位置に配置されているノーズパッド６が＋Ｄ方向に回動されてしまうことを抑制し、これにより、ノーズパッド６の位置が意図せずに第２位置に変更されてしまうことを抑制する。同様に、規制部５４５Ｌ，５４５Ｒは、第２延出部６１３Ｌ，６１３Ｒと当接することによって、第２位置に配置されているノーズパッド６が−Ｄ方向に回動されてしまうことを抑制し、これにより、ノーズパッド６の位置が意図せずに第１位置に変更されてしまうことを抑制する。
【００５８】
一方、第１延出部６１２Ｌと第２延出部６１３Ｌとの交差角αＬが大きくなるとともに、第１延出部６１２Ｒと第２延出部６１３Ｒとの交差角αＲが大きくなるように、第２延出部６１３Ｌ，６１３Ｒを互いに近接する方向に変位させることによって、規制部５４５Ｌ，５４５Ｒを避けてノーズパッド６を±Ｄ方向に回動させることができる。この際、交差角αＬ，αＲは、それぞれ鈍角であるので、第１延出部６１２Ｌ，６１２Ｒに対して第２延出部６１３Ｌ，６１３Ｒを変位させやすくすることができる。従って、ノーズパッド６の意図した位置変更を容易に実施できる。
【００５９】
［実施形態の効果］
以上説明した本実施形態に係る頭部装着型表示装置１によれば、以下の効果を奏することができる。
頭部装着型表示装置１は、画像光を出射して画像を表示する表示部３と、表示部３を支持する支持部５と、支持部５に取り付けられるノーズパッド６と、を備える。支持部５は、ノーズパッド６が取り付けられる取付部５４を有し、ノーズパッド６は、取付部５４に挿入される挿入部６１を有する。取付部５４は、挿入部６１が挿入される挿入口５４１と、挿入口５４１に挿入された挿入部６１を中心とするノーズパッド６の回動範囲においてそれぞれ異なる第１位置及び第２位置にノーズパッド６をそれぞれ係止可能な係止部である第１係止部５４３Ｌ，５４３Ｒ及び第２係止部５４４Ｌ，５４４Ｒと、を有する。
これによれば、ノーズパッド６は、取付部５４に設けられた挿入口５４１に挿入部６１が挿入された状態にて、必要に応じて±Ｄ方向に回動されることによって、第２延出部６１３Ｌ，６１３Ｒが第１係止部５４３Ｌ，５４３Ｒ及び第２係止部５４４Ｌ，５４４Ｒによって係止され、これにより、第１位置又は第２位置に係止される。このため、ラッチ部材を設ける等して、ノーズパッドを上下にスライド可能に保持する構造を取付部が有する場合に比べて、ノーズパッド６を移動可能に保持する取付部５４の構成を簡略化できる。従って、ノーズパッド６の位置を調整可能な頭部装着型表示装置１の構成を簡略化でき、頭部装着型表示装置１の組立を容易に実施できる。
【００６０】
ノーズパッド６は、第１鼻当て部及び第２鼻当て部としての鼻当て部６２Ｌ，６２Ｒを有する。取付部５４に取り付けられたノーズパッド６の回動方向は、表示部３が画像光を出射する第１方向である−Ｚ方向から見た場合、鼻当て部６２Ｌと鼻当て部６２Ｒとを結ぶ第１軸であるＸ軸に交差する±Ｙ方向である。そして、取付部５４は、係止部として、第１位置にノーズパッド６を係止する第１係止部５４３Ｌ，５４３Ｒと、第２位置にノーズパッド６を係止する第２係止部５４４Ｌ，５４４Ｒと、を有する。
これによれば、−Ｚ方向から見て、頭部装着型表示装置１を装着するユーザーにおける上下方向である±Ｙ方向において位置が異なる第１位置又は第２位置にノーズパッド６を配置できる。これによれば、ユーザーの鼻の大きさや、ユーザーが眼鏡を装着しているか否か等によって、ノーズパッド６の位置、すなわち、鼻当て部６２Ｌ，６２Ｒの位置を調整できる。従って、頭部装着型表示装置１の装着性を高めることができる。
【００６１】
取付部５４は、挿入口５４１の内部に位置し、挿入口５４１への挿入方向である＋Ｚ方向における挿入部６１の先端部である軸部６１１と係合して、軸部６１１を中心としてノーズパッド６を回動可能に支持する回動支持部５４２を有する。
これによれば、回動支持部５４２は、Ｘ軸に沿う軸部６１１と係合することによって、軸部６１１を中心としてノーズパッド６を回動可能に支持する。このため、例えば回動支持部５４２が挿入部６１の＋Ｚ方向における中央部を回動可能に支持する場合に比べて、取付部５４のＹ軸における寸法を小さくできる。従って、取付部５４の大型化を抑制でき、ひいては、頭部装着型表示装置１の大型化を抑制できる。
【００６２】
挿入部６１は、第１方向である＋Ｚ方向から見てＸ軸に沿って延出し、回動支持部５４２によって回動可能に支持される軸部６１１と、軸部６１１における−Ｘ方向及び＋Ｘ方向の端部から−Ｚ方向にそれぞれ延出する２つの第１延出部６１２Ｌ，６１２Ｒと、２つの第１延出部６１２Ｌ，６１２Ｒにおける軸部６１１とは反対側からそれぞれ互いに離間する方向に延出する２つの第２延出部６１３Ｌ，６１３Ｒと、を有する。第２延出部６１３Ｌ，６１３Ｒは、第１係止部５４３Ｌ，５４３Ｒ及び第２係止部５４４Ｌ，５４４Ｒの一方によって係止される。
これによれば、軸部６１１を中心としてノーズパッド６を±Ｄ方向に容易に回動させることができ、ひいては、鼻当て部６２Ｌ，６２Ｒの位置を±Ｙ方向に容易に変更できる。また、第１延出部６１２Ｌ，６１２Ｒから互いに離間する方向に延出する第２延出部６１３Ｌ，６１３Ｒが、第１係止部５４３Ｌ，５４３Ｒによって係止されることにより、ノーズパッド６を第１位置に安定して係止でき、第２延出部６１３Ｌ，６１３Ｒが、第２係止部５４４Ｌ，５４４Ｒによって係止されることにより、ノーズパッド６を第２位置に安定して係止できる。従って、ノーズパッド６の位置ずれを抑制できる。
【００６３】
第１係止部５４３Ｌ，５４３Ｒ及び第２係止部５４４Ｌ，５４４Ｒは、２つの第２延出部６１３Ｌ，６１３Ｒが嵌合される凹部である。
これによれば、ノーズパッド６を第１位置に係止する第１係止部５４３Ｌ，５４３Ｒの構成、及び、ノーズパッド６を第２位置に係止する第２係止部５４４Ｌ，５４４Ｒの構成を簡略化できる。従って、取付部５４の構成、ひいては、頭部装着型表示装置１の構成を簡略化できる。
【００６４】
取付部５４は、第１係止部５４３Ｌ及び第２係止部５４４Ｌの間に位置し、第２延出部６１３Ｌと当接して、ノーズパッド６の±Ｄ方向への回動を規制する規制部５４５Ｌを有する。また、取付部５４は、第１係止部５４３Ｒ及び第２係止部５４４Ｒの間に位置し、第２延出部６１３Ｒと当接して、ノーズパッド６の±Ｄ方向への回動を規制する規制部５４５Ｒを有する。
これによれば、ノーズパッド６が第１位置及び第２位置以外の位置に配置されることを抑制できる他、ノーズパッド６の意図しない回動を規制できる。従って、ノーズパッド６の位置ずれを効果的に抑制できる。
【００６５】
第２延出部６１３Ｌ，６１３Ｒは、互いに接離可能な可撓性を有する。
これによれば、第２延出部６１３Ｌ，６１３Ｒを互いに近接する方向に撓ませることによって、ノーズパッド６を回動可能とすることができ、ノーズパッド６の位置を変更できる。そして、互いに近接する方向に撓ませた状態から、第２延出部６１３Ｌ，６１３Ｒを互いに離間する方向に広げることによって、第２延出部６１３Ｌ，６１３Ｒを、第１係止部５４３Ｌ，５４３Ｒ又は第２係止部５４４Ｌ，５４４Ｒに係止させることができる。従って、ノーズパッド６の位置調整を容易に実施できる。
【００６６】
ノーズパッド６は、鼻当て部６２Ｌ，６２Ｒと、鼻当て部６２Ｌ，６２Ｒを揺動可能に支持する揺動支持部６３Ｌ，６３Ｒと、挿入部６１及び揺動支持部６３Ｌ，６３Ｒを接続する接続部６４Ｌ，６４Ｒと、を有する。接続部６４Ｌ，６４Ｒは、それぞれ、第１構成部６４Ｌ１，６４Ｒ１、第２構成部６４Ｌ２，６４Ｒ２、第３構成部６４Ｌ３，６４Ｒ３及び第４構成部６４Ｌ４，６４Ｒ４を有する。第１構成部６４Ｌ１，６４Ｒ１は、挿入部６１から離間する方向である−Ｚ方向に延出する。第２構成部６４Ｌ２，６４Ｒ２は、鼻当て部６２Ｌ，６２Ｒを結ぶＸ軸に平行な＋Ｘ方向と、取付部５４に対する挿入部６１の挿入方向である＋Ｚ方向とのそれぞれに交差し、かつ、挿入部６１から鼻当て部６２Ｌ，６２Ｒに向かう方向である−Ｙ方向に、第１構成部６４Ｌ１，６４Ｒ１から延出する。第３構成部６４Ｌ３，６４Ｒ３は、第２構成部６４Ｌ２，６４Ｒ２の延出方向に沿い、かつ、挿入部６１から離間する方向、すなわち、−Ｙ方向で−Ｚ方向に、第２構成部６４Ｌ２，６４Ｒ２に対して屈曲する。第４構成部６４Ｌ４，６４Ｒ４は、第３構成部６４Ｌ３，６４Ｒ３から延出して、対応する揺動支持部６３Ｌ，６３Ｒと接続される。
これによれば、例えば眼鏡を装着したユーザーの頭部に頭部装着型表示装置１が装着される場合に、接続部を構成する第２構成部が−Ｚ方向に延出した後、第３構成部が−Ｙ方向に延出して揺動支持部と接続される構成に比べて、ノーズパッド６が眼鏡に干渉することを抑制できる。従って、眼鏡におけるブリッジや鼻当てを避けて、鼻当て部６２Ｌ，６２Ｒをユーザーの鼻に当接させることができ、頭部装着型表示装置１の装着性を高めることができる。
【００６７】
表示部３は、左眼用画像を導く左側導光部３２Ｌと、右眼用画像を導く右側導光部３２Ｒと、を備える。支持部５は、左側導光部３２Ｌ及び右側導光部３２Ｒを支持するフレーム５３を有する。取付部５４は、左側導光部３２Ｌ及び右側導光部３２Ｒの間に位置し、左側導光部３２Ｌ及び右側導光部３２Ｒをフレーム５３に取り付ける。
これによれば、ノーズパッド６を支持する部材、並びに、フレーム５３に左側導光部３２Ｌ及び右側導光部３２Ｒを取り付ける部材として、取付部５４を用いることができる。このため、ノーズパッド６を支持する取付部５４以外に、左側導光部３２Ｌ及び右側導光部３２Ｒをフレーム５３に取り付ける部材を別途設ける必要が無い。従って、支持部５の部品点数の増加、ひいては、頭部装着型表示装置１の部品点数の増加を抑制できる。
また、取付部５４が、左側導光部３２Ｌと右側導光部３２Ｒとの間に配置されるので、取付部５４に支持されるノーズパッド６を、頭部装着型表示装置１が装着されたユーザーの鼻に当接しやすくすることができる。従って、頭部装着型表示装置１の装着性をより高めることができる。
【００６８】
［実施形態の変形］
本発明は、上記実施形態に限定されるものではなく、本発明の目的を達成できる範囲での変形、改良等は本発明に含まれるものである。
上記実施形態では、ノーズパッド６は、Ｘ軸に沿う回動軸を中心として回動可能に取付部５４に支持されていた。しかしながら、これに限らず、ノーズパッドは、例えばＹ軸に沿う回動軸を中心として回動可能に取付部に支持される構成としてもよい。すなわち、ノーズパッドの回動軸は、Ｘ軸に沿う回動軸に限らない。
【００６９】
上記実施形態では、ノーズパッド６は、取付部５４によって、ノーズパッド６の回動方向において互いに異なる位置である第１位置及び第２位置に係止され、取付部５４は、ノーズパッド６を第１位置に係止する第１係止部５４３Ｌ，５４３Ｒと、ノーズパッド６を第２位置に係止する第２係止部５４４Ｌ，５４４Ｒと、を有するとした。しかしながら、これに限らず、取付部は、ノーズパッドの回動方向において第１位置及び第２位置とは異なる第３位置に、ノーズパッドを係止可能な係止部を備えていてもよい。すなわち、取付部が有する係止部の数は、３以上であってもよい。
【００７０】
上記実施形態では、ノーズパッド６の挿入部６１を＋Ｚ方向に沿って取付部５４の挿入口５４１に挿入したときに、第２延出部６１３Ｌ，６１３Ｒは、第１係止部５４３Ｌ，５４３Ｒによって係止されるとした。すなわち、挿入部６１を挿入口５４１に挿入したときに、第２延出部６１３Ｌ，６１３Ｒは、第２係止部５４４Ｌ，５４４Ｒより−Ｙ方向に位置する第１係止部５４３Ｌ，５４３Ｒによって係止されるとした。しかしながら、これに限らず、例えば、第２係止部５４４Ｌ，５４４Ｒが第１係止部５４３Ｌ，５４３Ｒより−Ｙ方向に設けられている場合等、挿入部６１を挿入口５４１に挿入したときにノーズパッド６を係止する係止部は、必ずしも−Ｙ方向の係止部である必要はない。
【００７１】
上記実施形態では、ノーズパッド６を第１位置に係止する第１係止部５４３Ｌ，５４３Ｒは、第２延出部６１３Ｌ，６１３Ｒを係止し、ノーズパッド６を第２位置に係止する第２係止部５４４Ｌ，５４４Ｒは、第２延出部６１３Ｌ，６１３Ｒを係止するとした。しかしながら、これに限らず、係止部としての第１係止部及び第２係止部が係止するノーズパッドの部位は、第２延出部６１３Ｌ，６１３Ｒに限らない。例えば、係止部は、第１延出部６１２Ｌ，６１２Ｒを係止する構成としてもよい。
また、取付部５４は、第１係止部５４３Ｌ，５４３Ｒのうちの１つの第１係止部を有する構成としてもよく、第２係止部５４４Ｌ，５４４Ｒのうちの１つの第２係止部を有する構成としてもよい。
【００７２】
上記実施形態では、ノーズパッド６の回動範囲において、第１延出部６１２Ｌ，６１２Ｒの延出方向が−Ｚ方向に沿う状態となるノーズパッド６の位置を第１位置とし、第１延出部６１２Ｌ，６１２Ｒの延出方向が＋Ｙ方向に傾く状態となるノーズパッド６の位置を第２位置とした。しかしながら、これに限らず、第１位置及び第２位置は、適宜変更可能である。例えば、第１延出部の延出方向が−Ｙ方向に傾く状態となるノーズパッドの位置を第１位置とし、第１延出部の延出方向が＋Ｙ方向に傾く状態となるノーズパッドの位置を第２位置としてもよい。
【００７３】
上記実施形態では、取付部５４は、挿入部６１の先端部である軸部６１１を回動可能に支持する回動支持部５４２を有するとした。しかしながら、これに限らず、取付部５４がノーズパッド６の回動軸として支持する部位は、挿入部６１における＋Ｚ方向の端部に限らない。例えば、第１延出部６１２Ｌ，６１２Ｒに、Ｘ軸に沿う軸部がそれぞれ設けられ、回動支持部は、各軸部を回動可能に支持する構成としてもよい。
また、軸部６１１は、必ずしも円柱状でなくてもよく、ノーズパッド６の回動範囲において、回動支持部と当接する挿入部６１の先端部が円弧状に形成されていてもよい。
【００７４】
上記実施形態では、ノーズパッド６は、第１鼻当て部及び第２鼻当て部として、ユーザーの鼻における左側の部位に当接する鼻当て部６２Ｌと、ユーザーの鼻における右側の部位に当接する鼻当て部６２Ｒを有するとした。ここで、第１鼻当て部及び第２鼻当て部は、一体化されていてもよい。換言すると、ノーズパッド６は、鼻当て部６２Ｌ，６２Ｒに代えて、ユーザーの鼻の一部を正面側にて覆い、ユーザーの鼻における左側の部位及び右側の部位のそれぞれに当接する鼻当て部を有していてもよい。この場合、一体化された鼻当て部において、ユーザーの鼻における左側の部位に当接する部位が左側の鼻当て部に相当し、ユーザーの鼻における右側の部位に当接する部位が右側の鼻当て部に相当する。そして、左側の鼻当て部及び右側の鼻当て部のうち、一方が第１鼻当て部に相当し、他方が第２鼻当て部に相当する。
【００７５】
上記実施形態では、ノーズパッド６は、鼻当て部６２Ｌ，６２Ｒを有するとした。ここで、ノーズパッド６は、３つ以上の鼻当て部を有していてもよい。例えば、ノーズパッド６は、鼻当て部６２Ｌ，６２Ｒに加えて、ユーザーの鼻根又は鼻背に当接する鼻当て部を有していてもよい。この場合、複数の鼻当て部のうち、ユーザーの鼻における左側の部位に当接する鼻当て部を鼻当て部６２Ｌと規定し、ユーザーの鼻における右側の部位に当接する鼻当て部を鼻当て部６２Ｒと規定すればよい。この場合、ユーザーの鼻における左側の部位に当接する鼻当て部、及び、ユーザーの鼻における右側の部位に当接する鼻当て部のうち、一方の鼻当て部は第１鼻当て部に相当し、他方の鼻当て部は第２鼻当て部に相当する。
【００７６】
上記実施形態では、２つの第２延出部６１３Ｌ，６１３Ｒは、第１係止部５４３Ｌ，５４３Ｒ及び第２係止部５４４Ｌ，５４４Ｒのうちの一方に係止されるとした。すなわち、２つの第２延出部６１３Ｌ，６１３Ｒが第１係止部５４３Ｌ，５４３Ｒによって係止される場合、第２延出部６１３Ｌは、第１係止部５４３Ｌによって係止され、第２延出部６１３Ｒは、第１係止部５４３Ｒによって係止されるとした。また、２つの第２延出部６１３Ｌ，６１３Ｒが第２係止部５４４Ｌ，５４４Ｒによって係止される場合、第２延出部６１３Ｌは、第２係止部５４４Ｌによって係止され、第２延出部６１３Ｒは、第２係止部５４４Ｒによって係止されるとした。しかしながら、これに限らず、２つの第２延出部６１３Ｌ，６１３Ｒが係止される場合に、第２延出部６１３Ｌ，６１３Ｒのうち一方の第２延出部のみが係止される構成であってもよい。換言すると、第１係止部５４３Ｌ，５４３Ｒのうち一方の第１係止部は無くてもよく、第２係止部５４４Ｌ，５４４Ｒのうち一方の第２係止部は無くてもよい。また、第２延出部６１３Ｌ，６１３Ｒが第１位置に係止される場合には、第２延出部６１３Ｌ，６１３Ｒのうち一方の第２延出部が第１係止部によって係止され、第２位置に係止される場合には、第２延出部６１３Ｌ，６１３Ｒのうち他方の第２延出部が第２係止部によって係止される構成としてもよい。
【００７７】
上記実施形態では、第１係止部５４３Ｌ，５４３Ｒ及び第２係止部５４４Ｌ，５４４Ｒは、第２延出部６１３Ｌ，６１３Ｒが嵌合される凹部であるとした。しかしながらこれに限らず、第１位置にノーズパッド６を係止できれば、第１係止部の構成は凹部に限定されない。同様に、第２位置にノーズパッド６を係止できれば、第２係止部の構成は凹部に限定されない。
【００７８】
上記実施形態では、第１位置又は第２位置に配置されているノーズパッド６の回動を規制する規制部５４５Ｌ，５４５Ｒにおける−Ｚ方向の面は、それぞれ凹部である第１係止部５４３Ｌ，５４３Ｒ及び第２係止部５４４Ｌ，５４４Ｒにおいて第２延出部６１３Ｌ，６１３Ｒの＋Ｚ方向の面と対向する部位より−Ｚ方向に位置するとした。しかしながら、これに限らず、第１係止部５４３Ｌ，５４３Ｒ及び第２係止部５４４Ｌ，５４４Ｒの構成、並びに、規制部５４５Ｌ，５４５Ｒの構成に応じて、第１係止部５４３Ｌ，５４３Ｒ及び第２係止部５４４Ｌ，５４４Ｒに対する規制部５４５Ｌ，５４５Ｒの＋Ｚ方向における位置は、適宜変更してよい。
【００７９】
上記実施形態では、取付部５４は、第１係止部５４３Ｌと第２係止部５４４Ｌとの間に位置する規制部５４５Ｌ、及び、第１係止部５４３Ｒと第２係止部５４４Ｒとの間に位置する規制部５４５Ｒを有するとした。しかしながら、これに限らず、第１係止部５４３Ｌ，５４３Ｒ及び第２係止部５４４Ｌ，５４４Ｒによるノーズパッド６の係止を充分に実施可能であれば、規制部５４５Ｌ，５４５Ｒは、必ずしも無くてもよい。また、取付部５４は、規制部５４５Ｌ，５４５Ｒのうち１つの規制部を有する構成としてもよい。
【００８０】
上記実施形態では、ノーズパッド６は、第２延出部６１３Ｌ，６１３ＲがＸ軸において互いに近接する方向に撓むことによって、取付部５４における位置を変更できるとした。換言すると、ノーズパッド６は、第２延出部６１３Ｌ，６１３ＲがＸ軸において互いに近接する方向に撓むことによって、軸部６１１を中心として±Ｄ方向に回動できるとした。しかしながら、これに限らず、例えば第１延出部６１２Ｌ，６１２ＲがＺ軸に沿って伸縮し、第２延出部６１３Ｌ，６１３Ｒが第１係止部５４３Ｌ，５４３Ｒ及び第２係止部５４４Ｌ，５４４Ｒから離間することによって、ノーズパッドがＸ軸に沿う回動軸を中心として回動して、取付部における位置を変更可能に構成されてもよい。
また、第１延出部６１２Ｌと第２延出部６１３Ｌとの交差角αＬ、及び、第１延出部６１２Ｒと第２延出部６１３Ｒとの交差角αＲは、それぞれ鈍角であるとした。しかしながら、これに限らず、交差角αＬ，αＲは、直角等、他の角度であってもよい。
【００８１】
上記実施形態では、ノーズパッド６において挿入部６１と揺動支持部６３Ｌ，６３Ｒとを接続する第１接続部及び第２接続部としての接続部６４Ｌ，６４Ｒは、第１構成部６４Ｌ１，６４Ｒ１、第２構成部６４Ｌ２，６４Ｒ２、第３構成部６４Ｌ３，６４Ｒ３及び第４構成部６４Ｌ４，６４Ｒ４を有するとした。しかしながら、これに限らず、接続部６４Ｌ，６４Ｒの屈曲方向は、適宜変更可能である。
また、ノーズパッド６は、鼻当て部６２Ｌ，６２Ｒを揺動可能に支持する揺動支持部６３Ｌ，６３Ｒを有するとした。しかしながら、これに限らず、ノーズパッドは、揺動支持部に代えて、鼻当て部６２Ｌ，６２Ｒが固定される固定部を有する構成としてもよい。
更に、ノーズパッド６は、ノーズパッド６のＸ軸における中央を通り、ＹＺ平面に沿う中心面を中心とする左右対称に構成されているとした。しかしながら、これに限らず、ノーズパッド６は、左右対称でなくてもよい。例えば、接続部６４Ｌ，６４Ｒのうち、一方の接続部のみが上記のように構成され、他方の接続部は、他の構成であってもよい。更に、ノーズパッドの形状は、上記に限定されず、適宜変更可能である。
【００８２】
上記実施形態では、表示部３は、左側表示部３Ｌを構成する左側導光部３２Ｌを有する他、右側表示部３Ｒを構成する右側導光部３２Ｒを有するとした。しかしながら、これに限らず、表示部は、例えば左側表示部及び右側表示部のうちの１つを有する構成としてもよい。また、左側導光部３２Ｌ及び右側導光部３２Ｒは、一体化されていてもよい。
更に、取付部５４は、左側導光部３２Ｌ及び右側導光部３２Ｒをフレーム５３に取り付ける機能を有するとした。しかしながら、これに限らず、フレーム５３に対する左側導光部３２Ｌ及び右側導光部３２Ｒの取り付けは、取付部５４とは異なる他の部材によって実施されていてもよい。
【符号の説明】
【００８３】
１…頭部装着型表示装置、２…装置本体、３…表示部、３２Ｌ…左側導光部、３２Ｒ…右側導光部、５…支持部、５３…フレーム、５４…取付部、５４１…挿入口、５４２…回動支持部、５４３Ｌ，５４３Ｒ…第１係止部（係止部）、５４４Ｌ，５４４Ｒ…第２係止部（係止部）、５４５Ｌ，５４５Ｒ…規制部、６…ノーズパッド、６１…挿入部、６１１…軸部、６１２Ｌ，６１２Ｒ…第１延出部、６１３Ｌ，６１３Ｒ…第２延出部、６２Ｌ…鼻当て部（第１鼻当て部、第２鼻当て部）、６２Ｒ…鼻当て部（第１鼻当て部、第２鼻当て部）、６３Ｌ…揺動支持部（第１揺動支持部、第２揺動支持部）、６３Ｒ…揺動支持部（第１揺動支持部、第２揺動支持部）、６４Ｌ…接続部（第１接続部、第２接続部）、６４Ｒ…接続部（第１接続部、第２接続部）、６４Ｌ１，６４Ｒ１…第１構成部、６４Ｌ２，６４Ｒ２…第２構成部、６４Ｌ３，６４Ｒ３…第３構成部、６４Ｌ４，６４Ｒ４…第４構成部。
【図１】
2020071299.tif 000003
【図２】
2020071299.tif 000004
【図３】
2020071299.tif 000005
【図４】
2020071299.tif 000006
【図５】
2020071299.tif 000007
【図６】
2020071299.tif 000008
【図７】
2020071299.tif 000009
【図８】
2020071299.tif 000010
【図９】
2020071299.tif 000011
【図１０】
2020071299.tif 000012
【図１１】
2020071299.tif 000013
【図１２】
2020071299.tif 000014
【図１３】
2020071299.tif 000015
【図１４】
2020071299.tif 000016